(57)【要約】【課題】電柱頂部の開口を閉止するキャップの脱落を回避して取付状態を維持することのできる電柱頂部用キャップの取付構造を提供すること。【解決手段】  電柱１００の頂部１０１とキャップ１０の双方に取付状態を維持する固定手段が配設されており、キャップは、電柱頂部の上端面１０１ａを覆う閉止部１１と、電柱頂部の外周面に対面する外筒部１２と、電柱頂部の内周面に対面する内筒部１３と、を有して、外筒部および内筒部の間に円筒形状の電柱頂部を位置させて閉止部で開口１０１ｈを閉止する一方、固定手段は、キャップの内筒部１３の周溝２１と、電柱頂部の内周面の突起２６と、を有して、この周溝と突起を互いに係合させることによりキャップを電柱頂部に取り付けた状態を維持する。【選択図】図２
2012149469.tif 000002
【特許請求の範囲】
【請求項１】
円筒形状に形成されて開口する電柱頂部と、該電柱頂部に取り付けられて当該開口を閉止するキャップと、の双方に前記電柱頂部への前記キャップの取付状態を維持する固定手段が配設されており、
前記キャップは、前記電柱頂部の円筒形状端面を覆う円盤形状に形成されている閉止部と、該閉止部の円盤形状の外縁に一体形成されて前記電柱頂部の円筒形状外周面に対面する外筒部と、前記閉止部の円盤形状の外縁よりも内側に一体形成されて前記電柱頂部の円筒形状内周面に対面する内筒部と、を有して、前記外筒部および前記内筒部の間に円筒形状の前記電柱頂部を位置させて前記閉止部で該電柱頂部の開口を閉止する一方、
前記固定手段は、前記キャップ側の前記外筒部または前記内筒部の一方あるいは双方に形成されている第１係合部と、前記電柱頂部の前記外周面または前記内周面の一方あるいは双方に形成されている第２係合部と、を有して、前記第１、第２係合部を互いに係合させることにより前記キャップを前記電柱頂部に取り付けた状態を維持することを特徴とする電柱頂部用キャップの取付構造。
【請求項２】
前記固定手段は、
前記第１係合部が前記キャップの前記外筒部の内周面または前記内筒部の外周面の一方あるいは双方に凸形状または凹形状に形成されて配設されるとともに、
前記第２係合部が前記電柱頂部の円筒形状の内周面または外周面の一方あるいは双方を覆うように固着されるアタッチメント部材の該内周面または該外周面の一方あるいは双方に凸形状または凹形状に形成されて配設されることにより、
当該凸形状部分が当該凸形状部分間に嵌まり込むことで、あるいは当該凸形状部分が当該凹形状部分内に嵌まり込んで互いに係合することを特徴とする請求項１に記載の電柱頂部用キャップの取付構造。
【請求項３】
前記固定手段は、
前記第１係合部が前記キャップに一端側が連結されている紐部材により構成される一方、前記第２係合部が前記電柱頂部の端面から突出している鉄筋を前記紐部材と共に内部に差し込んで固着させる固着部材により構成されており、
前記キャップは、前記内筒部が前記紐部材の最下端位置よりも下方に延在する長さに形成されていることを特徴とする請求項１または２に記載の電柱頂部用キャップの取付構造。
【発明の詳細な説明】
【技術分野】
【０００１】
本発明は、電柱頂部用キャップの取付構造に関し、詳しくは、電柱頂部の開口を閉止するキャップの取付状態を信頼性高く維持することのできるものに関する。
【背景技術】
【０００２】
電柱は、一般的に、コンクリート（モルタル）製で頂部の開口する概略円筒形状に作製されているために、その開口を閉止するキャップが取り付けられており、その内部に無制限に雨水が浸入したり、頂部端面や鉄筋が風雨や日光に晒されて急速に劣化して落下などしてしまうことがないようにしている（例えば、特許文献１〜３）。また、この電柱頂部用のキャップには、短絡事故に繋がらないように、鳥が止まり難くするものもある（例えば、特許文献４、５）。
【先行技術文献】
【特許文献】
【０００３】
【特許文献１】特開平２−６８９７０号公報
【特許文献２】登録実用新案第３０９７７８１号公報
【特許文献３】登録実用新案第３１４８３４３号公報
【特許文献４】特開平７−７９６８５号公報
【特許文献５】特開２０００−２９５９５９号公報
【発明の概要】
【発明が解決しようとする課題】
【０００４】
しかしながら、このような電柱頂部用キャップにあっては、いずれも電柱頂部の外周面に対面する側壁部の内周面に、内方に突出しつつ周方向に延在するリブ形状部を形成することにより電柱頂部に取り付けるようになっている。この種のキャップは、そのリブ形状部を変形させつつ電柱頂部の外周面に圧接する状態にすることにより電柱頂部への取付状態をできるだけ維持するが、キャップ側のリブ形状が圧接するだけであるため、このキャップ自体も風雨や日光に晒されることによる劣化は避けることができず、緩んできてしまってずれてしまったり、完全に脱落してしまう場合があった。
【０００５】
そこで、本発明は、電柱頂部の開口を閉止するキャップの脱落を回避して取付状態を維持することのできる電柱頂部用キャップの取付構造を提供することを目的としている。
【課題を解決するための手段】
【０００６】
上記課題を解決する電柱頂部用キャップの取付構造の発明の一態様としては、円筒形状に形成されて開口する電柱頂部と、該電柱頂部に取り付けられて当該開口を閉止するキャップと、の双方に前記電柱頂部への前記キャップの取付状態を維持する固定手段が配設されており、前記キャップは、前記電柱頂部の円筒形状端面を覆う円盤形状に形成されている閉止部と、該閉止部の円盤形状の外縁に一体形成されて前記電柱頂部の円筒形状外周面に対面する外筒部と、前記閉止部の円盤形状の外縁よりも内側に一体形成されて前記電柱頂部の円筒形状内周面に対面する内筒部と、を有して、前記外筒部および前記内筒部の間に円筒形状の前記電柱頂部を位置させて前記閉止部で該電柱頂部の開口を閉止する一方、前記固定手段は、前記キャップ側の前記外筒部または前記内筒部の一方あるいは双方に形成されている第１係合部と、前記電柱頂部の前記外周面または前記内周面の一方あるいは双方に形成されている第２係合部と、を有して、前記第１、第２係合部を互いに係合させることにより前記キャップを前記電柱頂部に取り付けた状態を維持することを特徴とするものである。
【０００７】
この発明の態様では、キャップが電柱頂部に取り付けられると、電柱頂部の円筒形状外周面と内周面にキャップの外筒部と内筒部とが対面するとともに、キャップの円盤形状の閉止部がその円筒形状端面を覆ってずれることなく開口を閉止することができ、このときには、キャップ側の第１係合部と電柱頂部側の第２係合部が互いに係合して取付状態を維持する。
【発明の効果】
【０００８】
このように本発明の一態様によれば、キャップは電柱頂部の円筒形状端面と外周面だけでなく、その内周面にも内筒部を対面させて取り付けるので、信頼性高く電柱頂部の開口を閉止する状態を維持することができ、また、キャップ側と電柱頂部側のそれぞれに形成する第１、第２係合部を互いに係合させて取付状態を維持することができる。したがって、キャップ側の固定手段が電柱頂部の外周面に圧接するだけであるためにずれてしまうようなことはなく、また、キャップ側と電柱頂部側の固定手段が互いに係合することにより、経時劣化によりずれてしまうことを制限することができる。この結果、電柱頂部の開口を閉止するキャップが脱落などしてしまうことを回避して取付状態を維持することができる。
【図面の簡単な説明】
【０００９】
【図１】本発明に係る電柱頂部用キャップの取付構造の第１実施形態を示す図であり、その電柱頂部とキャップの関係を示す斜視図である。
【図２】その全体構成を示す縦断面図である。
【図３】本発明に係る電柱頂部用キャップの取付構造の第２実施形態を示す図であり、その全体構成を示す縦断面図である。
【図４】本発明に係る電柱頂部用キャップの取付構造の第３実施形態を示す図であり、その全体構成を示す縦断面図である。
【図５】本発明に係る電柱頂部用キャップの取付構造の第４実施形態を示す図であり、その電柱頂部側の構成を示す縦断面図である。
【図６】そのキャップ側の構成を示す図であり、（ａ）はその下面側からの平面図、（ｂ）はその縦断面図である。
【図７】本発明に係る電柱頂部用キャップの取付構造の第４実施形態を示す図であり、（ａ）はその全体構成を示す縦断面図、（ｂ）はその要部構成を示す拡大一部縦断面図である。
【発明を実施するための形態】
【００１０】
本発明の態様としては、上記の課題解決手段のように、円筒形状に形成されて開口する電柱頂部と、該電柱頂部に取り付けられて当該開口を閉止するキャップと、の双方に前記電柱頂部への前記キャップの取付状態を維持する固定手段が配設されており、前記キャップは、前記電柱頂部の円筒形状端面を覆う円盤形状に形成されている閉止部と、該閉止部の円盤形状の外縁に一体形成されて前記電柱頂部の円筒形状外周面に対面する外筒部と、前記閉止部の円盤形状の外縁よりも内側に一体形成されて前記電柱頂部の円筒形状内周面に対面する内筒部と、を有して、前記外筒部および前記内筒部の間に円筒形状の前記電柱頂部を位置させて前記閉止部で該電柱頂部の開口を閉止する一方、前記固定手段は、前記キャップ側の前記外筒部または前記内筒部の一方あるいは双方に形成されている第１係合部と、前記電柱頂部の前記外周面または前記内周面の一方あるいは双方に形成されている第２係合部と、を有して、前記第１、第２係合部を互いに係合させることにより前記キャップを前記電柱頂部に取り付けた状態を維持することを基本構成とするのに加えて、次の構成を備えてもよい。
【００１１】
第１の他の態様としては、前記固定手段は、前記第１係合部が前記キャップの前記外筒部の内周面または前記内筒部の外周面の一方あるいは双方に凸形状または凹形状に形成されて配設されるとともに、前記第２係合部が前記電柱頂部の円筒形状の内周面または外周面の一方あるいは双方を覆うように固着されるアタッチメント部材の該内周面または該外周面の一方あるいは双方に凸形状または凹形状に形成されて配設されることにより、当該凸形状部分が当該凸形状部分間に嵌まり込むことで、あるいは当該凸形状部分が当該凹形状部分内に嵌まり込んで互いに係合するようにしてもよい。
【００１２】
この態様では、第１係合部の凸形状または凹形状はキャップ自体に一体形成される一方、第２係合部の凸形状または凹形状は電柱頂部に別部材として固着するアタッチメント部材に一体形成される。したがって、凸形状が凸形状間や凹形状内に嵌まり込む状態になって外面同士が互いに係合する簡易な構造でキャップを電柱頂部に取り付けることができ、電柱頂部側に特別に加工を施すことなくアタッチメント部材を後付するだけで実現することができる。
【００１３】
第２の他の態様としては、前記キャップの前記内筒部を弾性材料により作製するとともに周方向の複数箇所に分割して内方に撓むことができるようにして、弾性力により圧接できるようにしてもよい。また、凸形状や凹形状の第１、第２係合部同士が嵌まり込む経路を電柱の軸方向と水平方向に連続するＬ字あるいは左右逆転のＬ字、または、上下逆転のＴ字に形成することにより前記キャップを被せた後に回転させることにより係合させる外れ難い取付構造にしてもよい。また、前記キャップの前記内筒部の外周面の複数箇所にフランジ形状部を形成する一方、前記アタッチメント部材に代えて、前記電柱頂部側にも円筒形状端面から突出する鉄筋にそのフランジ形状部に対面するフランジ形状部材を固着するとともに、そのフランジ形状部同士の対面接触する面に凸形状や凹形状の前記第１、第２係合部を形成しても前記キャップを被せた後に回転させて外れ難い取付構造にすることができる。
【００１４】
第３の他の態様としては、前記固定手段は、前記第１係合部が前記キャップに一端側が連結されている紐部材により構成される一方、前記第２係合部が前記電柱頂部の端面から突出している鉄筋を前記紐部材と共に内部に差し込んで固着させる固着部材により構成されており、前記キャップは、前記内筒部が前記紐部材の最下端位置よりも下方に延在する長さに形成されるようにしてもよい。
【００１５】
この態様では、キャップの内筒部を先に電柱頂部の円筒形状の開口内に差し込んで外筒部との隙間を利用して円筒形状端面から突出する鉄筋と紐部材が一体（連結状態）になるように固着部材をその鉄筋に固着させることができ、この後に、そのまま内筒部をさらに差し込むだけで外筒部が覆う状態に取り付けることができる。したがって、例えば、仮に、径時劣化により緩んできて風を受けることによりキャップが外れようとして外筒部が持ち上がったとしても内筒部まで電柱頂部の円筒形状内の開口から外れてしまうことはなく、そのまま降下して外筒部が覆う取付状態に復帰することができる。
【００１６】
以下、図面を参照して、本発明の実施形態について詳細に説明する。図１および図２は本発明に係る電柱頂部用キャップの取付構造の第１実施形態を示す図である。
【００１７】
図１および図２において、電柱頂部用キャップ１０は、電柱１００の頂部１０１に取り付けてカバーするように作製されており、このキャップ１０および電柱１００の頂部１０１は、後述するキャップ１０の内筒部１３に配設されている固定手段の周溝（凹形状の第１係合部）２１と、電柱１００の頂部１０１の内周面１０１ｃに配設されている固定手段の突起（凸形状の第２係合部）２６と、を互いに係合させることにより取付状態を固定して維持するようになっている。
【００１８】
電柱１００の頂部１０１は、鉄筋１１０を埋め込む厚さの円筒形状に作製されており、その頂部１０１の上端面１０１ａから、周方向に並列されている鉄筋１１０の上部が露出している。
【００１９】
キャップ１０は、電柱１００の頂部１０１の上端面１０１ａを覆う円盤形状に形成されてその頂部１０１の開口１０１ｈを閉止する閉止部１１と、この閉止部１１の円盤形状の外縁に一致する短尺の円筒形状に形成されて電柱１００の頂部１０１の外周面１０１ｂに対面して覆う外筒部１２と、この外筒部１２と同軸となる内側に形成されて電柱１００の頂部１０１の内周面１０１ｃに対面して覆う内筒部１３と、を備える形状に、多少の弾性変形をする樹脂材料により一体形成されており、電柱１００の頂部１０１に被せる状態にして雨風や日光を遮って早期に経時劣化することを制限する。
【００２０】
そして、周溝２１は、キャップ１０の内筒部１３の外周面の周方向に延在して一周する凹形状に形成されている。一方、突起２６は、電柱１００の頂部１０１の内周面１０１ｃの複数個所、例えば、均等間隔となる４箇所に固着されており、一端部に突起２６が一体形成されている軸部材などがその内周面１０１ｃに穿孔されている穴内に差し込まれて固設されるなどしている。
【００２１】
この周溝２１と突起２６は、キャップ１０を電柱１００の頂部１０１に被せた状態にしたときに互いに係合する位置関係になるように配設されており、詳細には、キャップ１０の閉止部１１からの離隔間隔と、電柱１００の頂部１０１の鉄筋１１０の上端からの離隔間隔とが一致する位置に形成されており、突起２６が周溝２１内に嵌まり込んで想定される風力を受けても係合状態を解消することがないようになっている。
【００２２】
これにより、キャップ１０は、電柱１００の頂部１０１に被せるようにして押し込むこと、内筒部１３が突起２６の高さにより弾性変形された後に周溝２１内にその突起２６が嵌まり込んで取付状態を維持することができる。このとき、周溝２１は周方向に一周形成されているので、突起２６との位置合わせをすることなく、電柱１００の頂部１０１にキャップ１０を被せる作業を行うことができる。また、周溝２１はキャップ１０の内筒部１３に一体形成される一方、突起２６も電柱１００の頂部１０１に固設されて互いに係合することから、取付状態を維持するために一方を変形させた圧接力のように、経時劣化により緩んでしまうことなく、係合状態（取付状態）を維持することができる。
【００２３】
このように本実施形態においては、キャップ１０の外筒部１２だけでなく内筒部１３も電柱１００の頂部１０１の開口１０１ｈ内に差し込んで対面セットする状態にして取り付けているので、その開口１０１ｈを確実に閉止して保持することができ、また、キャップ１０側と電柱１００の頂部１０１側のそれぞれに互いに係合する周溝２１と突起２６を固着するので、経時劣化により取付品質が低下して外れてしまうことを制限することができる。したがって、電柱１００の頂部１０１の開口１０１ｈを閉止するキャップ１０が脱落などしてしまうことを回避して取付状態を信頼性高く維持することができる。
【００２４】
次に、図３は本発明に係る電柱頂部用キャップの取付構造の第２実施形態を示す図である。ここで、本実施形態は、上述実施形態と略同様に構成されているので、同様の構成には同一の符号を付して特徴部分を説明する（以下で説明する他の実施形態においても同様）。
【００２５】
図３において、電柱頂部用キャップ３０側には、上述実施形態の周溝２１に代えて、内筒部１３の外周面から突出して周方向に延在し一周する周畝（凸形状の第１係合部）３１が一体形成されており、電柱１００の頂部１０１側には、上述実施形態の突起２６に加えて、軸方向の上下に同一形状の突起（凸形状の第２係合部）３６が並列されている。
【００２６】
この周畝３１と突起２６、３６は、キャップ１０を電柱１００の頂部１０１に被せた状態にしたときに互いに係合するように、言い換えると、周畝３１が突起２６、３６の間に嵌まり込んで想定される風力を受けても係合状態を解消することがないようになっている。
【００２７】
これにより、キャップ３０は、電柱１００の頂部１０１に被せるようにして押し込むこと、内筒部１３が周畝３１と突起２６、３６の高さにより弾性変形された後にその周畝３１が突起２６、３６の間に外面同士を圧接させる状態に嵌まり込んで取付状態を維持することができる。このとき、周畝３１は周方向に一周形成されているので、突起２６、３６との位置合わせをすることなく、電柱１００の頂部１０１にキャップ１０を被せる作業を行うことができる。また、周畝３１はキャップ１０の内筒部１３に一体形成（固着）される一方、突起２６、３６も電柱１００の頂部１０１に固設（固着）されて互いに係合することから、取付状態を維持するために一方を変形させた圧接力のように、経時劣化により緩んでしまうことなく、係合状態（取付状態）を維持することができる。
【００２８】
このように本実施形態においても、上述実施形態と同様の作用効果を得ることができ、電柱１００の頂部１０１の開口１０１ｈを閉止するキャップ１０が脱落などしてしまうことを回避して取付状態を信頼性高く維持することができる。
【００２９】
次に、図４は本発明に係る電柱頂部用キャップの取付構造の第３実施形態を示す図である。
【００３０】
図４において、電柱頂部用キャップ４０側には、上述実施形態の周溝２１、周畝３１に代えて、内筒部１３の外周面の複数個所、例えば、均等間隔となる４箇所で突出する凸形状の突起（凸形状の第１係合部）４１と、外筒部１２の内周面の複数個所、例えば、均等間隔となる４箇所で突出する凸形状の突起（凸形状の第１係合部）４２と、が一体形成されている。
【００３１】
電柱１００の頂部１０１側には、上述実施形態の突起２６、３６に代えて、Ｌ字と左右逆Ｌ字を重ねた形状になる上下逆Ｔ溝（凹形状の第２係合部）４６、４７が外周面１０１ｂと内周面１０１ｃに形成されている。
【００３２】
上下逆Ｔ溝４６、４７は、キャップ４０側の突起４１、４２に対応する上端面１０１ａの外縁から外周面１０１ｂと内周面１０１ｃの軸方向に向かって延在する縦溝４６ａ、４７ａと、この縦溝４６ａ、４７ａの最下端から同程度の長さだけ周方向の左右に延在する横溝４６ｂ、４７ｂと、この横溝４６ｂ、４７ｂの端部に形成されて突起４１、４２と略同一形状で凹んで想定される風力を受けても係合状態を解消することがないように嵌まり込ませることのできる凹形状の係合穴４６ｃ、４７ｃ（４７ｃは不図示）と、を備えるように形成されており、縦溝４６ａ、４７ａと横溝４６ｂ、４７ｂは、突起４１、４２よりも小さめの断面形状で窪んでいる。
【００３３】
これにより、キャップ４０は、突起４１、４２を電柱１００の頂部１０１の上下逆Ｔ溝４６、４７の縦溝４６ａ、４７ａに合わせつつ被せるようにして押し込むと、その突起４１、４２が縦溝４６ａ、４７ａに入りきらないために、外筒部１２と内筒部１３を弾性変形させつつ降下させることができる。この後に、キャップ４０は、左右のいずれか一方向に捻る（回転させる）ことにより横溝４６ｂ、４７ｂを経由させて、突起４１、４２を係合穴４６ｃ、４７ｃに嵌まり込ませて取付状態を維持することができ、経時劣化により緩んでしまうことなく、係合状態（取付状態）を維持することができる。
【００３４】
このように本実施形態においては、上述実施形態と同様の作用効果に加えて、キャップ４０を取付操作のし易い程度の弾性変形をさせつつ被せて回転させることにより、突起４１、４２を電柱１００の頂部１０１の上下逆Ｔ溝４６、４７端部の係合穴４６ｃ、４７ｃに嵌まり込ませて係合させることができ、縦方向に加えて横方向の作業をして初めて取り付けることができるとともに、外す際にも逆に横方向の作業をしない限り容易には外れないようにすることができる。したがって、キャップ４０の電柱１００の頂部１０１への嵌め込み作業を容易化（作業負担を軽減）するとともに、より信頼性を向上させることができる。
【００３５】
次に、図５および図６は本発明に係る電柱頂部用キャップの取付構造の第４実施形態を示す図である。
【００３６】
図５および図６において、電柱１００の頂部１０１側には、上述実施形態の突起２６、３６や上下逆Ｔ溝４６、４７に代えて、何らの形状加工を加える必要をなくすアタッチメント５６がセットされており、このアタッチメント５６は、頂部１０１の円筒形状の上端面１０１ａから内周面１０１ｃに対面するように形成されている鍔付きの円筒形状に形成されている。
【００３７】
アタッチメント５６は、電柱１００の頂部１０１の上端面１０１ａに対面するように形成されている円盤部５７と、その電柱１００の頂部１０１の内周面１０１ｃ内に差し込んで対面する円筒形状の差込部５８とが一体形成されている。
【００３８】
このアタッチメント５６の円盤部５７には、電柱１００の上端面１０１ａから露出する鉄筋１１０を収納してその上端面１０１ａに密接することができるように、対応する複数箇所に貫通穴５７ａが開口しており、この貫通穴５７ａから露出する鉄筋１１０には、ストッパ部材５９を固着させて外れないように取り付けることができる。ここで、このストッパ部材５９は、後述の図７（ｂ）に示すように、変形可能な樹脂材料で概略ナット形状に作製されており、雌ネジ山５９ａを変形させつつ内部に鉄筋１１０を押し入れることにより外れることなく取り付けることができるようになっている。
【００３９】
また、アタッチメント５６の差込部５８には、後述するキャップ５０の分割内筒部５３の外周面のギザ歯形状部５３ａに噛み合い係合するギザ歯形状部５８ａが内周面側に形成されており、このギザ歯形状部５８ａは、断面山形の複数本が周方向に延在するように形成されている。
【００４０】
電柱頂部用キャップ５０は、上述実施形態の内筒部１３に代えて、その内筒部１３を均等に４分割した分割内筒部５３が形成されており、この分割内筒部５３は多少の弾性変形をする樹脂材料により一体形成されることにより、特に内方に撓んで弾性復帰することができるとともに、その外周面側には、電柱１００の頂部１０１にセットしたアタッチメント５６の差込部５８の内周面のギザ歯形状部５８ａに噛み合い係合するように、断面山形の複数本が周方向に延在するギザ歯形状部５３ａが形成されている。
【００４１】
これにより、アタッチメント５６は、差込部５８を電柱１００の頂部１０１の内周面１０１ｃ内に差し込んで円盤部５７をその頂部１０１の上端面１０１ａに対面させるとともに、その円盤部５７の貫通穴５７ａから突出する鉄筋１１０にストッパ部材５９を固着して取付固定することができる。この後に、キャップ５０は、電柱１００の頂部１０１に被せるようにして、分割内筒部５３をそのアタッチメント５６の差込部５８内に押し込むと、その分割内筒部５３を弾性変形させつつ降下させて互いのギザ歯形状部５３ａ、５８ａ同士の噛み合い（嵌め込み）量を増やすことにより取付状態を信頼性高く維持するように取り付けることができ、経時劣化により緩んでしまうことなく、係合状態（取付状態）を維持することができる。
【００４２】
このように本実施形態においては、上述実施形態と同様の作用効果に加えて、電柱１００の頂部１０１側に加工を施すことなく、そのままアタッチメント５６を固着するだけでキャップ５０を取り付けることができる。したがって、汎用性を高めつつ、キャップ５０の電柱１００の頂部１０１への嵌め込み作業を容易化（作業負担を軽減）するとともに、より信頼性を向上させることができる。
【００４３】
ここで、本実施形態では、電柱１００の頂部１０１の内周面１０１ｃのみに対面する差込部５８を有するアタッチメント５６を利用する場合を一例に説明するが、これに限るものではなく、その外周面１０１ｂにも対面する部位を形成して係合させるようにしてもよいことは言うまでもない。
【００４４】
次に、図７は本発明に係る電柱頂部用キャップの取付構造の第５実施形態を示す図である。
【００４５】
図７において、電柱頂部用キャップ６０は、上述実施形態の内筒部１３や分割内筒部５３に代えて、その内筒部１３を外筒部１２よりも長尺に形成した長尺内筒部６３が形成されており、この長尺内筒部６３は、閉止部１１から離隔する端縁を電柱１００の頂部１０１の内周面１０１ｃに対面させるように差し込んだ状態にしつつ、外筒部１２の端縁とその頂部１０１の上端面１０１ａとの間で後述する作業を行い得る程度以上の長さに形成されている。
【００４６】
また、このキャップ６０は、長尺内筒部６３の根元側（閉止部１１側）に、その長尺内筒部６３と同程度以上の長さに作製されている複数本の紐部材６４が固設されて連結されており、例えば、２本の紐部材６４が対称位置（直径方向の両端部）で均等間隔になるように配設されている。
【００４７】
一方、電柱１００の頂部１０１側には、上述実施形態のアタッチメント５６に代えて、少なくとも紐部材６４の本数以上のストッパ部材（固着部材）５９が準備されており、ストッパ部材５９は、鉄筋１１０よりも小径の開口を形成する雌ネジ山５９ａを有する概略ナット形状に、変形可能な樹脂材料により作製されている。
【００４８】
これにより、キャップ６０は、電柱１００の頂部１０１の内周面１０１ｃ内に長尺内筒部６３を対面させるように差し込むとともに、その頂部１０１の上端面１０１ａに突出する鉄筋１１０の上に紐部材６４を載置する状態にした後に、ストッパ部材５９内にその鉄筋１１０を押し込んで雌ネジ山５９ａを変形させつつ外れないように固着することにより、紐部材６４を連結状態にして取付固定することができる。この後には、キャップ６０は、そのまま電柱１００の頂部１０１に被せるようにして降下させる（押し込む）だけで、仮に、強風によって上昇して電柱１００の頂部１０１から外れようとしたとしても紐部材６４により完全に外れてしまうことを制限することができ、風が収まるなどした後には自重で降下して被せた状態にして係合状態（取付状態）を維持することができる。
【００４９】
このように本実施形態においては、電柱１００の頂部１０１の鉄筋１１０に紐部材６４を固着するだけでキャップ６０を取り付けることができる。したがって、汎用性を高めつつ、電柱１００の頂部１０１を覆うキャップ６０による信頼性をより向上させることができる。
【００５０】
ここで、本実施形態は、上述実施形態と同様の作用効果を得られるように、上述実施形態と組み合わせても良いことは言うまでもない。
【００５１】
また、上述実施形態では特に言及はしていないが、内筒部と外筒部の高さ（長さ）は何れが長めであっても良く、また、同じ高さ（長さ）であっても良いことは言うまでもない。例えば、内筒部と外筒部の何れを先に電柱の頂部側に接触させるかで選択すればよく、外筒部を電柱の頂部に隙間を少なく被せる場合にはその外筒部に案内させて内筒部を開口内に差し込むようにしてもよい。
【産業上の利用可能性】
【００５２】
これまで本発明の一実施形態について説明したが、本発明は上述の実施形態に限定されず、その技術的思想の範囲内において種々異なる形態にて実施されてよいことは言うまでもない。
【符号の説明】
【００５３】
１０、３０、４０、５０、６０……電柱頂部用キャップ      １１……閉止部      １２……外筒部      １３……内筒部      ２１……周溝      ２６、４１……突起      ３１……周畝      ４６、４７……上下逆Ｔ溝      ４６ｃ……係合穴      ５３……分割内筒部      ５３ａ、５８ａ……ギザ歯形状部      ５６……アタッチメント      ５７……円盤部      ５７ａ……貫通穴      ５８……差込部      ５９……ストッパ部材      ６３……長尺内筒部      ６４……紐部材      １００……電柱      １０１……頂部      １０１ａ……上端面      １０１ｂ……外周面      １０１ｃ……内周面      １０１ｈ……開口      １１０……鉄筋
【図１】
2012149469.tif 000003
【図２】
2012149469.tif 000004
【図３】
2012149469.tif 000005
【図４】
2012149469.tif 000006
【図５】
2012149469.tif 000007
【図６】
2012149469.tif 000008
【図７】
2012149469.tif 000009